(57)【要約】【課題】操作感（クリック感）がより明確になり、操作性を向上させることができる。【解決手段】電動リールに設けられるモータを制御するための調整スイッチ３０であって、上面２１ａに固定接点２５を有する基板２１と、基板２１に積層され、下面２２ｂおいて固定接点２５に対向し、かつ、固定接点２５に接触可能な位置に可動接点２６を有する感圧導電シート２２と、感圧導電シート２２における基板２１と反対側に積層されるカバーシート２３と、感圧導電シート２２とカバーシート２３との間に配置され、凸曲部２４ａを有する金属板製のドームスプリング２４と、を備え、カバーシート２３には、円形開口部２３ｃが形成され、ドームスプリング２４は、凸曲部２４ａが円形開口部２３ｃから露出する魚釣用リールスイッチを提供する。【選択図】図６
2019115312.tif 000002
【特許請求の範囲】
【請求項１】
魚釣用リールに設けられる電子機器を制御するための魚釣用リールスイッチであって、
一方の面に固定接点を有する基板と、
前記基板に積層され、前記基板側を向く面において前記固定接点に対向し、かつ、該固定接点に接触可能な位置に可動接点を有する導電シートと、
前記導電シートにおける前記基板と反対側に積層されるカバーシートと、
前記導電シートと前記カバーシートとの間に配置され、凸曲部を有する金属板製の可動接点体と、
を備え、
前記カバーシートには、開口部が形成され、
前記可動接点体は、前記凸曲部が前記開口部から露出する、魚釣用リールスイッチ。
【請求項２】
前記開口部は、前記固定接点の中心部分を開口中心とする円形開口部であり、
前記凸曲部は、前記円形開口部の開口中心と同軸線上を中心とするドーム状である、請求項１に記載の魚釣用リールスイッチ。
【請求項３】
前記円形開口部の開口直径は、前記凸曲部の周縁部の直径と、同一もしくはやや小さい、請求項２に記載の魚釣用リールスイッチ。
【請求項４】
前記導電シートは、前記可動接点が感圧接点をなす感圧導電シートである、請求項１乃至３のいずれか１項に記載の魚釣用リールスイッチ。
【請求項５】
前記電子機器が釣糸巻上げ用のモータであって、前記固定接点と前記可動接点との接触により前記モータを制御する、請求項１乃至４のいずれか１項に記載の魚釣用リールスイッチ。
【発明の詳細な説明】
【技術分野】
【０００１】
本発明は、魚釣用リールスイッチに関する。
【背景技術】
【０００２】
従来、釣糸を前方に向けて繰り出す魚釣用リールの一つとして知られている電動リールでは、リール本体に水深表示部を有するものが知られている。例えば特許文献１に示されるような電動リールでは、水深表示部は、ケース状に形成され、釣り糸の先端に装着可能な仕掛けの水深を表示可能な表示板を有するとともに、表示板の表示操作を行うための複数の操作スイッチを備えている。
近年、このような水深表示部に採用される操作スイッチとして使用されるものとして、例えば特許文献２に示されるような感圧センサーの表面に例えばポリエチレンテレフタレート製のカバーシートにクリックエンボスを設けたものが提案され、操作スイッチを押圧したときにクリック感をもたせたものがある。
【先行技術文献】
【特許文献】
【０００３】
【特許文献１】特開２００１-１４８９７９号公報
【特許文献２】特開平８−２７３４７１号公報
【発明の概要】
【発明が解決しようとする課題】
【０００４】
しかしながら、魚釣用の電動リールを使用する釣り人が釣用手袋をしたまま、水深表示部の操作スイッチを操作するケースがあることから、操作時に操作スイッチを押し込んだ際により明確なクリック感が得られ、操作感を感知できることが求められており、その点で改善の余地があった。
【０００５】
本発明は、このような事情に考慮してなされたもので、その目的は、操作感（クリック感）がより明確になり、操作性を向上させることができる魚釣用リールスイッチを提供することである。
【課題を解決するための手段】
【０００６】
（１）本発明に係る魚釣用リールスイッチは、魚釣用リールに設けられる電子機器を制御するための魚釣用リールスイッチであって、一方の面に固定接点を有する基板と、前記基板に積層され、前記基板側を向く面において前記固定接点に対向し、かつ、該固定接点に接触可能な位置に可動接点を有する導電シートと、前記導電シートにおける前記基板と反対側に積層されるカバーシートと、前記導電シートと前記カバーシートとの間に配置され、凸曲部を有する金属板製の可動接点体と、を備え、前記カバーシートには、開口部が形成され、前記可動接点体は、前記凸曲部が前記開口部から露出することを特徴としている。
【０００７】
本発明に係る魚釣用リールスイッチによれば、導電シートとカバーシートとの間に配置される可動接点体の凸曲部の少なくとも一部がカバーシートから露出した状態となる。この露出した可動接点体を基板側に向けて押し込むことで、操作感（クリック感）がより明確になり、操作性が向上する。特に、可動接点体を金属板製としたことで、より操作感が明確になり、仮に、使用者が、釣用手袋を使用していたとしても、操作感が明確に感知でき、誤操作を防止でき、より操作性が向上する。
【０００８】
（２）前記開口部は、前記固定接点の中心部分を開口中心とする円形開口部であり、前記凸曲部は、前記円形開口部の開口中心と同軸線上を中心とするドーム状であってもよい。
【０００９】
この場合には、凸曲部をドーム状とし、開口部を円形とし、それぞれが固定接点の中心部分を中心とすることで、可動接点体に対してあらゆる方向からでも操作することが可能となり、また、操作感も均一性を図ることができる。
【００１０】
（３）前記円形開口部の開口直径は、前記凸曲部の周縁部の直径と、同一もしくはやや小さい構成としてもよい。
【００１１】
この場合には、開口部の直径が、凸曲部の周縁部の直径と、同一もしくはやや小さいようにすることにより、可動接点体が導電シートとカバーシートとの間で位置がずれたり、開口部から抜け出すことがなく確実に保持することができる。また、使用時だけでなく、組み立て時の作業性も向上することができる。
【００１２】
（４）前記導電シートは、前記可動接点が感圧接点をなす感圧導電シートであってもよい。
【００１３】
この場合には、押し込まれることによって反転変形した姿勢の可動接点体が基板側に押し込まれ、可動接点体とともに導電シートが基板側に変形する際に、感圧導電シートを採用することにより、圧力の大きさを検知しながら可動接点が固定接点に対して電気的に接続することができる。そのため、可動接点体への押し込み力にともなう電気的な接触抵抗値の変化により、例えば電子機器が魚釣用リールに設けられるモータである場合に、そのモータの回転数をコントロールすることができる。
【００１４】
（５）前記電子機器が釣糸巻上げ用のモータであって、前記固定接点と前記可動接点との接触により前記モータを制御する構成としてもよい。
【００１５】
この場合には、糸巻上げ用のモータを備えた魚釣用リールにおけるスイッチの操作感（クリック感）がより明確になり、操作性が向上する。
【発明の効果】
【００１６】
本発明に係る魚釣用リールスイッチによれば、操作感（クリック感）がより明確になり、操作性を向上させることができる。
【図面の簡単な説明】
【００１７】
【図１】本発明の実施形態を示す電動リールの斜視図である。
【図２】図１に示すＡ−Ａ線断面図であって、左右方向でハンドル側から見たリール本体を一部省略した縦断面図である。
【図３】図１に示す電動リールの水深表示部を上方から見た平面図である。
【図４】図３に示す水深表示部に組み込まれた調整スイッチの斜め上方から見た斜視図である。
【図５】図４に示す調整スイッチの分解斜視図である。
【図６】図４に示すＢ−Ｂ線断面図であって、調整スイッチの部分断面図である。
【図７】調整スイッチの動作を示す断面図であって、（ａ）はドームスプリングを押し込み操作した状態を示す図、（ｂ）は可動接点と固定接点とが電気的に接触した状態を示す図である。
【発明を実施するための形態】
【００１８】
以下、本発明に係る魚釣用リールスイッチの実施形態について図面を参照して説明する。なお、本実施形態では、魚釣用リールとして電動リールを例に挙げて説明する。また、各図面において、各構成部材を視認可能な大きさとするために必要に応じて各構成部材の縮尺を適宜変更している場合がある。
【００１９】
図１に示すように本実施形態の魚釣用リールスイッチ（以下、調整スイッチ３０という）は、外部電源から供給された電力により駆動されるとともに、手巻きの両軸受リールとして使用するときの電源を内部に有する小型の電動リール１（魚釣用リール）に設けられている。この電動リール１は、糸繰り出し長さ又は糸巻取長さに応じて仕掛けの水深を表示する水深表示機能を有している。
【００２０】
電動リール１は、釣り竿に装着可能であり水深表示部５を有するリール本体１０と、リール本体１０に対してハンドル軸線Ｏ１回りに回転可能に取り付けられたハンドル１１と、リール本体１０に対してハンドル軸線Ｏ１と平行なスプール軸線Ｏ２回りに回転可能で図示しない釣糸が巻かれるスプール１２と、クラッチ操作部材１３と、リール本体１０に設けられ、スプール１２を回転駆動する図２に示すモータ１４（電子機器）と、を備えている。スプール１２は、スプール駆動機構（図示省略）によって駆動され、クラッチ操作部材１３によって駆動されるクラッチ機構（図示省略）が連動している。
【００２１】
ここで、本実施形態では、ハンドル軸線Ｏ１及びスプール軸線Ｏ２に沿う方向を左右方向Ｌ１として定義すると共に、左右方向Ｌ１に直交すると共にスプール１２に巻かれた釣糸が繰り出される方向に沿う方向を前後方向Ｌ２として定義する。また、前後方向Ｌ２においてスプール１２から釣糸が繰り出される方向を前方、その反対方向を後方と定義すると共に、電動リール１を後方側から見た視点で左右を定義する。なお、図１は、電動リール１を上斜め後方側から見た斜視図である。
【００２２】
（リール本体）
リール本体１０は、フレーム１１１と、第１側カバー１１２Ａと、第２側カバー１１２Ｂと、前カバー（図示省略）と、前述した水深表示部５と、を備えている。
【００２３】
フレーム１１１は、例えば合成樹脂又は金属製の一体形成された部材である。フレーム１１１は、第１側板１１１Ａと、第２側板１１１Ｂと、第１側板１１１Ａと第２側板１１１Ｂとを連結する第１連結部材１１１Ｃ、第２連結部材１１１Ｄ、第３連結部材１１１Ｅと、を有している（図２参照）。
第２側板１１１Ｂは、第１側板１１１Ａと左右方向Ｌ１に間隔を隔てて配置されている。第１側カバー１１２Ａは、フレーム１１１におけるハンドル１１の装着側を覆い、第１側板１１１Ａの外縁部に例えばネジ止めされている。第２側カバー１１２Ｂは、フレーム１１１におけるハンドル１１の装着側と逆側を覆い、第２側板１１１Ｂの外縁部に例えばネジ止めされている。前カバーは、フレーム１１１の前部を覆っている。
【００２４】
第２側板１１１Ｂには、スプール１２のスプール軸１２ａの一端（第２端）が回転自在に支持された装着されている。
第１連結部材１１１Ｃは、第１側板１１１Ａ及び第２側板１１１Ｂの下部を連結する。第１連結部材１１１Ｃは、板状をなし、その左右方向Ｌ１の略中央部分に釣り竿に取り付けるための釣り竿装着部１１３が一体形成されている。なお、釣り竿装着部１１３は、フレーム１１１と別体であってもよい。
図２に示すように、第２連結部材１１１Ｄは、リール本体１０の後部を連結する板状の部分である。また、第３連結部材１１１Ｅは、スプール１２の前部を連結する。第３連結部材１１１Ｅは、概ね円筒状の部分であり、その内部にモータ１４が収容されている。
【００２５】
図１に示すように、第１側カバー１１２Ａには、駆動軸（図示省略）を回転自在に支持するための第１ボス部１１４が外方に突出して形成されている。第１ボス部１１４の後方には、スプール軸１２ａの他端（第１端）を支持する第２ボス部１１５が外方に突出して形成されている。
また、第２側カバー１１２Ｂの前部下面には、電源ケーブル接続用のコネクタ（図示省略）が下向きに装着されている。
【００２６】
（ハンドル）
図１に示すように、ハンドル１１は、リール本体１０に対してハンドル軸線Ｏ１回りに回転可能に支持されたハンドル軸の第１側カバー１１２Ａ側（右側）の一端に装着されたハンドルアーム１１Ａと、ハンドルアーム１１Ａの先端部に回転可能に取り付けられたハンドルノブ１１Ｂと、を備えている。
【００２７】
（スプール）
スプール１２は、スプール軸１２ａに一体回転可能に装着され、筒状の糸巻胴部１２Ａの両側に一体形成された大径のフランジ部１２ｂが設けられている。スプール軸１２ａは、糸巻胴部１２Ａの内周部に圧入等の適宜の固定手段により固定されている。
【００２８】
（クラッチ機構）
上述したクラッチ機構は、クラッチ操作部材１３の操作によってハンドル１１の回転をスプール１２に伝達可能なクラッチオン状態と、ハンドル１１の回転をスプール１２に伝達不能なクラッチオフ状態とに切換可能である。クラッチオン位置では、ピニオンギアの回転がスプール軸１２ａに伝達され、クラッチオン状態になり、ピニオンギアとスプール軸１２ａとが一体回転可能になる。また、クラッチオフ位置では、ピニオンギアの回転がスプール軸１２ａに伝達されないため、クラッチオフ状態になり、スプール１２は自由回転可能になる。
【００２９】
（クラッチ操作部材）
クラッチ操作部材１３は、リール本体１０の後部に設けられ、クラッチ機構をクラッチオン状態とクラッチオフ状態とに切り換え操作するためのものである。クラッチ操作部材１３は、第１側板１１１Ａと第２側板１１１Ｂとの間でリール本体１０の後部に釣り竿装着部１１３に対して接近及び離反する方向に移動可能に設けられる。この実施形態では、クラッチ操作部材１３は、スプール軸１２ａ回りに揺動可能に設けられる。
【００３０】
（スプール駆動機構）
上述したスプール駆動機構は、スプール１２を糸巻取方向に駆動する。また、巻き取り時にスプール１２に対してドラグ１５によりドラグ力を発生させて釣り糸の切断を防止する。ここで、ドラグ１５は、ハンドル１１のハンドルアーム１１Ａと第１側カバー１１２ａとの間においてハンドル軸に同軸に設けられている。スプール駆動機構は、図示しないローラクラッチの形態の逆転防止部によって糸巻取方向の回転が禁止された上記のモータ１４と、モータ１４の回転を減速してスプール１２に伝達したり、ハンドル１１の回転を増速してスプール１２に伝達する回転伝達機構と、を備えている。
【００３１】
（水深表示部）
水深表示部５は、釣り糸の先端に装着可能な仕掛けの水深を表示可能である。水深表示部５は、図１に示すように、第１側板１１１Ａ及び第２側板１１１Ｂの上部に載置されるケース部を構成している。水深表示部５は、第１側板１１１Ａ及び第２側板１１１Ｂの外側面にネジ止め固定されており、表示操作を行うための複数（本実施形態では３つ）の操作ボタン５１（５１Ａ、５１Ｂ、５１Ｃ）を有している（図３参照）。
【００３２】
水深表示部５は、両側がそれぞれ第１側板１１１Ａ及び第２側板１１１Ｂに沿って前後方向Ｌ２に延びている。図３に示すように、水深表示部５の内部には、リール制御部１６と、水深表示用の液晶ディスプレイからなる表示板５２と、回路部（図示省略）と、が収納されている。リール制御部１６は、例えば、マイクロコンピュータによって構成され、水深表示部５を表示制御する表示制御機能も有している。
【００３３】
水深表示部５には、操作部３１の押し込みストロークに応じてモータ１４の出力を調整する調整スイッチ３０が設けられている。
スプール駆動機構は、上述したようにハンドル１１及びモータ１４の駆動力に応じてスプール１２を駆動する。リール制御部１６は、モータ１４の出力とともにスプール１２の回転速度を調整スイッチ３０の押し込み位置に応じて調整するモータ制御部の機能を有する。
【００３４】
（調整スイッチ）
調整スイッチ３０（魚釣用リールスイッチ）は、図４〜図６に示すように、電動リール１に設けられる釣糸巻上げ用のモータ１４（図２参照）の出力を制御するためのスイッチであって、リール本体１０の水深表示部５に設けられている。
ここで、調整スイッチ３０において、水深表示部５の表示面５ａに直交する方向を上下方向と定義し、上下方向の表面側を上側、上方とし、その反対側を下側、下方として以下説明する。
【００３５】
調整スイッチ３０は、図３に示すように、表示板５２の後方で３つの操作ボタン５１の左側（第２側カバー１１２Ｂ寄り）の位置に配置されている。
調整スイッチ３０は、水深表示部５の表示面５ａに形成される開口部から露出した状態で配置される合成樹脂製の操作部３１と、操作部３１の下方に位置するスイッチ本体２０と、を備えている。スイッチ本体２０は、水深表示部５の内側に収納されている。
【００３６】
操作部３１は、絶縁樹脂製であり、図６に示すように、下面側の前後部のそれぞれから下方に突出する凸部３３を有している。一対の凸部３３は、それぞれが後述するドームスプリング２４の凸曲部２４ａに接触、あるいは近接して配置されている。
操作部３１は、図１〜図３に示すように、前後方向Ｌ２の中間に中間支持部３１ａを有し、この中間支持部３１ａを挟んで前側押し釦３２Ａ（３２）と後側押し釦３２Ｂ（３２）とが配置されている。前側押し釦３２Ａと後側押し釦３２Ｂの下面には、それぞれ凸部３３が設けられている。中間支持部３１ａは、前側押し釦３２Ａと後側押し釦３２Ｂが中間支持部３１ａを支点にして上下に揺動可能に水深表示部５に支持されている。図７（ａ）に示すように、操作部３１が前側押し釦３２Ａ又は後側押し釦３２Ｂを下方に押し込むと、押し込まれた押し釦３２側の凸部３３がドームスプリング２４の凸曲部２４ａに当接するととともに、ドームスプリング２４を下方に押圧する。
【００３７】
操作部３１は、水深表示部５との間にバネ部材（図示省略）が設けられ、このバネ部材によって水平姿勢となる操作開始姿勢Ｐ０（図１〜図３参照）に保持されている。つまり、釣り人が指で操作部３１の押し釦３２を押し込んだ押し込み姿勢Ｐ１（図７（ａ）、（ｂ）参照）の状態から、指を操作部３１から外したときにはバネ部材の付勢により操作部３１が押し込み姿勢Ｐ１から図２に示す操作開始姿勢Ｐ０に復帰する。これにより、釣り人が押し釦３２を操作した後に操作開始姿勢Ｐ０の位置に操作部３１を保持できる。
【００３８】
（リール制御部）
リール制御部１６は、図２に示すように、電動リール１の水深表示部５の内部に設けられ、モータ１４及び表示板５２を制御する。リール制御部１６は、ＣＰＵ（中央演算ユニット）を含むマイクロコンピュータによって構成される。リール制御部１６には、操作ボタン５１、調整スイッチ３０、スプールセンサが接続されている。スプールセンサは、スプール１２の回転数（回転位置）及び回転方向を検出できる。
【００３９】
図４〜図６に示すように、スイッチ本体２０は、上面２１ａ（一方の面）に固定接点２５を有する基板２１と、基板２１に積層され、下面２２ｂ（基板２１側を向く面）において固定接点２５に対向し、かつ、固定接点２５に接触可能な位置に可動接点２６を有する感圧導電シート２２（導電シート）と、感圧導電シート２２における基板２１と反対側に積層されるカバーシート２３と、感圧導電シート２２とカバーシート２３との間に配置され、凸曲部２４ａを有する金属板製のドームスプリング２４（可動接点体）と、を備えている。
【００４０】
基板２１と感圧導電シート２２との間には、第１絶縁シート２７がアクリルやシリコン等の接着剤によって双方に接着された状態で介在されている。感圧導電シート２２とカバーシート２３との間には、第２絶縁シート２８がアクリルやシリコン等の接着剤によって双方に接着された状態で介在されている。
第１絶縁シート２７及び第２絶縁シート２８は、それぞれ後述するカバーシート２３の円形開口部２３ｃとほぼ同径、かつ開口中心Ｃ１と同軸となる開口部２７ａ、２８ａが形成されている。
【００４１】
基板２１は、例えば、ポリエチレンテレフタレート、ポリカーボネート等のフィルム状、あるいは紙フェノールやガラス入りエポキシ等の板状の基板であり、上面２１ａにはカーボンや銀、銅箔等によって形成された固定接点２５が前後方向Ｌ２に間隔をあけて２箇所に設けられている。
【００４２】
固定接点２５は、各々配線パターンから抵抗を介して、マイコン等から形成された電子回路（図示省略）や電源に接続されている。つまり、固定接点２５と可動接点２６とが電気的に接続されたときの電圧変化に基づいて上記マイコン等によってモータ４の出力を制御する構成となっている。
【００４３】
感圧導電シート２２は、第２絶縁シート２８を挟んで基板２１の上面２１ａに重ねて配置され、例えば、ポリエチレンテレフタレート、ポリカーボネート、ポリイミド等の可撓性を有するフィルム状の部材が採用されている。
感圧導電シート２２の下面２２ｂに配置される可動接点２６は、合成樹脂内にカーボン粉を分散したシート抵抗値の低抵抗体層と、下面が細かな凹凸状の適宜なシート抵抗値を有する高抵抗体層とが、重ねて印刷形成された複数の感圧導電層からなる。
【００４４】
感圧導電シート２２の上面２２ａには、前後方向Ｌ２に間隔をあけて２つのドームスプリング２４、２４が載置されるとともに、それらドームスプリング２４、２４が配置されない箇所には、エポキシやポリエステル等の第２絶縁シート２８が配置されている。
【００４５】
可動接点２６は、基板２１の固定接点２５に対して例えば１０〜１００μｍ前後の空隙で対向している。
【００４６】
カバーシート２３は、第２絶縁シート２８を挟んで感圧導電シート２２の上側に重ねて貼り付けられている。カバーシート２３としては、例えば、ポリエチレンテレフタレート、ポリカーボネート、ポリイミド等の可撓性を有するフィルム状の部材が採用される。
カバーシート２３には、前後方向Ｌ２に間隔をあけた２つの円形開口部２３ｃ（開口部）が形成されている。各円形開口部２３ｃは、固定接点２５の中心部分（後述する開口中心Ｃ１と同軸）を開口中心としている。円形開口部２３ｃの開口直径は、ドームスプリング２４の周縁部２４ｂの直径と、同一もしくはやや小さく設定されている。つまり、円形開口部２３ｃの内周縁部は、上方から見て少なくともドームスプリング２４の周縁部に重なった状態で配置されている。
【００４７】
ドームスプリング２４は、全体が半球状に形成され、凸曲部２４ａが感圧導電シート２２の上面２２ａから上方に離間する方向に凸となる姿勢で、感圧導電シート２２とカバーシート２３との間に配置されている。ドームスプリング２４の凸曲部２４ａは、感圧導電シート２２側（下側）に凸となるように反転変形可能に形成され、カバーシート２３の円形開口部２３ｃから露出した状態で設けられている。このドームスプリング２４は、略ドーム状で銅合金や鋼等の導電金属薄板製の可動接点体である。凸曲部２４ａは、円形開口部２３ｃの開口中心Ｃ１と同軸線上を中心とするドーム状に形成されている。
【００４８】
次に、このように構成される電動リール１の操作方法について、説明する。
上述した電動リール１を使用して釣りを行うときは、図１に示すように、釣り人は釣り竿を持つ手の親指によってクラッチ操作部材１３を押し下げ操作する。これにより、クラッチ機構がクラッチオン状態からクラッチオフ状態に切り換わり、スプール１２が自由回転状態になる。そして、仕掛けの自重によって釣り糸を繰り出し、仕掛けを魚が群れる棚位置まで下ろす。
【００４９】
仕掛けに魚が掛かって釣り糸を巻き取るときには、クラッチオフ状態からクラッチオン状態に切り換わり、ハンドル１１及びモータ１４（図２参照）によってスプール１２を糸巻取方向に回転させることができる。
【００５０】
モータ１４により釣り糸を巻き取るときには、釣り竿を持つ手またはハンドル１１を操作する手で調整スイッチ３０を操作し、モータ１４の出力を調整し、糸の巻き取り速度を調整して巻き上げる。このとき、水深表示部５に設けられる調整スイッチ３０と、リール本体１０の後部に配置されたクラッチ操作部材１３とが近くに配置されているため、サミング操作して手の指先で調整スイッチ３０を操作することができる。このため、調整スイッチ３０とクラッチ操作部材１３とを連携して操作しやすくなる。
【００５１】
次に、調整スイッチ３０の操作について、さらに具体的に説明する。
図７（ａ）に示すように、操作部３１の前後に位置する押し釦３２Ａ，３２Ｂの一方を下方へ押し込み操作すると、押し込まれた押し釦３２の凸部３３の下面３３ａがカバーシート２３の円形開口部２３ｃから露出するドームスプリング２４の凸曲部２４ａを下方に押し込む。そして、所定の押圧力が加わると、ドームスプリング２４がクリック感を伴って周縁部２４ｂ寄りの円周方向に沿う箇所を基点（図７（ａ）の符号２４ｃ）にして下方へ反転変形する。この状態をスイッチオン状態とする。
【００５２】
続いて、さらに押し釦３２に押し込み力を加えると、図７（ｂ）に示すように、感圧導電シート２２が下方へ撓んで、下面の可動接点２６が固定接点２５に接触して、固定接点２５が、可動接点２６を介して電気的に接続される。
そして、この後、さらに押圧力を加えると、可動接点２６における固定接点２５に対する接触面積が増えるため、固定接点２５の間の抵抗値が小さくなり、抵抗から電子回路への出力電圧が変化する。つまり、押し釦３２を所定のストロークで押し込み操作することでドームスプリング２４が下側に凸となるように反転変形し、さらに押し込むと、操作荷重が変化し、この直後に可動接点２６が固定接点２５に接触して電気的接続、すなわちＯＮとなる。このように調整スイッチ３０では、操作部３１の押し釦３２の押し込みストロークを調整することで、図２に示すモータ１４の出力を調整することができる。
【００５３】
また、操作部３１の押し釦３２への押し込み力を解除すると、感圧導電シート２２が基板２１から上方に離間して元の状態に戻るとともに、ドームスプリング２４が弾性復帰力によって基点２４ｃを支点にして上方へ反転変形し、可動接点２６が固定接点２５から離れて、固定接点２５が電気的に切断された状態、すなわちＯＦＦとなる。
【００５４】
このように本実施形態による電動リール１の調整スイッチ３０では、感圧導電シート２２とカバーシート２３との間に配置されるドームスプリング２４の凸曲部２４ａの少なくとも一部がカバーシート２３から露出した状態となる。この露出したドームスプリング２４の凸曲部２４ａを直接、操作部３１の押し釦３２によって基板２１側に向けて押し込むことが可能となるので、操作感（クリック感）がより明確になり、操作性が向上する。
特に、ドームスプリング２４を金属板製としたことで、より操作感が明確になり、仮に、使用者が、釣用手袋を使用していたとしても、操作感が明確に感知でき、誤操作を防止でき、より操作性が向上する。
【００５５】
また、本実施形態では、ドームスプリング２４の凸曲部２４ａをドーム状とし、カバーシート２３の円形開口部２３ｃを円形とし、それぞれが固定接点２５の中心部分を中心とすることで、ドームスプリング２４に対してあらゆる方向からでも操作することが可能となり、また、操作感も均一性を図ることができる。
【００５６】
また、本実施形態では、カバーシート２３の円形開口部２３ｃの直径が、ドームスプリング２４の凸曲部２４ａの周縁部２４ｂの直径と、同一もしくはやや小さいようにすることにより、ドームスプリング２４が感圧導電シート２２とカバーシート２３との間で位置がずれたり、円形開口部２３ｃから抜け出すことがなく確実に保持することができる。また、使用時だけでなく、組み立て時の作業性も向上することができる。
【００５７】
さらに、本実施形態では、導電シートとして可動接点２６が感圧接点をなす感圧導電シート２２とすることにより、上方から押し込まれることによって反転変形した姿勢のドームスプリング２４が基板２１側に押し込まれ、ドームスプリング２４とともに感圧導電シート２２が基板２１側に変形する際に、感圧導電シート２２を採用することにより、圧力の大きさを検知しながら可動接点２６が固定接点２５に対して電気的に接続することができる。そのため、ドームスプリング２４への押し込み力にともなう電気的な接触抵抗値の変化により、電動リール１に設けられるモータ１４の回転数をコントロールすることができる。
【００５８】
また、本実施形態では、ドームスプリング２４の凸曲部２４ａの一部がカバーシート２３の円形開口部２３ｃから露出する構成となっているので、ドームスプリングの上面全体をカバーシートで覆う従来の構成に比べてスイッチ本体２０自体の厚み（高さ）を小さく抑えることができる。
【００５９】
上述のように構成された本実施形態による電動リール１の調整スイッチ３０では、操作感（クリック感）がより明確になり、操作性を向上させることができる。
【００６０】
以上、本発明の実施形態を説明したが、これらの実施形態は例として提示したものであり、発明の範囲を限定することは意図していない。実施形態は、その他様々な形態で実施されることが可能であり、発明の要旨を逸脱しない範囲で、種々の省略、置き換え、変更を行うことができる。実施形態やその変形例には、例えば当業者が容易に想定できるもの、実質的に同一のもの、均等の範囲のものなどが含まれる。
【００６１】
例えば、上記実施形態では、カバーシート２３の開口部が固定接点２５の中心部分を開口中心とする円形開口部２３ｃとしているが、円形状の開口部であることに限定されることはなく、例えば矩形や楕円形などの他の形状とすることも可能である。
また、上記実施形態では、カバーシート２３における円形開口部２３ｃの開口直径は、ドームスプリング２４の凸曲部２４ａの周縁部２４ｂの直径と、同一もしくはやや小さい寸法に設定したが、この寸法であることに限定されることもない。
【００６２】
また、ドームスプリング２４の凸曲部２４ａが円形開口部２３ｃの開口中心と同軸線上を中心とするドーム状としているが、このような配置であることに制限されることはない。例えば、カバーシートの開口部の内周縁部がドームスプリング２４の周縁部２４ｂに当接している構成とすることも可能である。この場合には、可動接点体の周縁部がカバーシート２３の開口部の内周縁部によって押さえ付けられた状態となるため、可動接点体が導電シートとカバーシートとの間で位置がずれたり、開口部から抜け出すことがなく確実に保持することができる。
【００６３】
また、上記実施形態では、導電シートとして可動接点２６が感圧接点をなす感圧導電シート２２としているが、このような感圧導電シート２２に限定されることはない。
【００６４】
さらに、上記実施形態では、電子機器として釣糸巻上げ用のモータ１４を適用し、固定接点２５と可動接点２６との接触によりモータ１４を制御する構成を一例としているが、モータ１４に代えて魚釣用リールに設けられる他の電子機器を制御するための魚釣用リールスイッチを適用してもかまわない。
【００６５】
さらにまた、調整スイッチ３０のスイッチ本体２０における基板、導電シート、カバーシート、固定接点、可動接点の形状、材質、厚さ寸法等の構成や、操作部３１の形状、位置等の構成についても適宜設定することが可能である。例えば、本実施形態の第１絶縁シート２７や第２絶縁シート２８を省略してもよい。
また、可動接点体の形状として、上記実施形態のようなドームスプリング２４に限定されることはない。例えばドーム状の凸曲部の外周縁にフランジ状の鍔部が形成された形状の可動接点体であってもよい。
【符号の説明】
【００６６】
１  電動リール（魚釣用リール）
１０  リール本体
１１  ハンドル
１２  スプール
１２ａ  スプール軸
１３  クラッチ操作部材
１４  モータ（電子機器）
１６  リール制御部
２０  スイッチ本体
２１  基板
２２  感圧導電シート（導電シート）
２３  カバーシート
２３ｃ  円形開口部（開口部）
２４  ドームスプリング（可動接点体）
２４ａ  凸曲部
２４ｂ  周縁部
２５  固定接点
２６  可動接点
３０  調整スイッチ（魚釣用リールスイッチ）
３１  操作部
３２、３２Ａ、３２Ｂ  押し釦
Ｃ１  開口中心
Ｌ１  左右方向
Ｌ２  前後方向
Ｏ１  ハンドル軸線
Ｏ２  スプール軸線
【図１】
2019115312.tif 000003
【図２】
2019115312.tif 000004
【図３】
2019115312.tif 000005
【図４】
2019115312.tif 000006
【図５】
2019115312.tif 000007
【図６】
2019115312.tif 000008
【図７】
2019115312.tif 000009